(57)【要約】【課題】  本考案は、通常のマグネット製品としての機能を有しつつ、立体的で、非常にデザイン性が高くて視覚的効果にも優れ、かつ、メッセージ性も備えることができるデザインマグネット製品を提供することを目的とする。【解決手段】  本考案に係るデザインマグネット製品１は、ベースプレート２と、ベースプレート２の裏面に貼り付けられたマグネットプレート３と、ベースプレート２の表面側に貼り付けられたフェイスプレート４とから構成されており、ベースプレート２の表面には画像層２Ａが設けられており、フェイスプレート４の一部には、開口部が設けられており、当該開口部を通して、ベースプレート２の表面の画像層を視認できるように構成されている。【選択図】図１
0003216057.tif 000002
【実用新案登録請求の範囲】
【請求項１】
ベースプレートと、前記ベースプレートの裏面に貼り付けられたマグネットプレートと、前記ベースプレートの表面側に貼り付けられたフェイスプレートとから構成されるデザインマグネット製品であって、
前記ベースプレートの表面には画像層が設けられており、
前記フェイスプレートの一部には、開口部が設けられており、当該開口部を通して、前記ベースプレートの表面の画像層を視認できるように構成されていることを特徴とするデザインマグネット製品。
【請求項２】
前記フェイスプレートの表面にも画像層が設けられていることを特徴とする請求項１に記載のデザインマグネット製品。
【請求項３】
ベースプレートと、前記ベースプレートの裏面に貼り付けられたマグネットプレートと、前記ベースプレートの表面側に貼り付けられたフェイスプレートとから構成されるデザインマグネット製品であって、
前記ベースプレートの表面には画像層が設けられており、
前記フェイスプレートの全部又は一部が、透明な材料によって構成されており、表面側から前記ベースプレートを見た際に、前記ベースプレートの表面に設けられた画像層を視認できるように構成されていることを特徴とするデザインマグネット製品。
【請求項４】
前記フェイスプレートの裏面の全部又は一部においても画像層が設けられており、表面側から前記ベースプレートを見た際に、前記ベースプレートの表面に設けられた画像層、及び、前記フェイスプレートの裏面に設けられた画像層の両方を、同時に視認できるように構成されていることを特徴とする請求項３に記載のデザインマグネット製品。
【考案の詳細な説明】
【技術分野】
【０００１】
本考案は、通常のマグネット製品としての機能を有しつつ、立体的で、非常にデザイン性が高くて視覚的効果にも優れ、かつ、メッセージ性も備えることができるデザインマグネット製品に関するものである。
【背景技術】
【０００２】
従来より、磁力を利用してメモや書類を壁面等に固定するマグネット製品が一般的に使用されている。これらのマグネット製品は、機能を重視して、円形の永久磁石に単色のプラスチック製のキャップを被せたものが主流であるが、最近では、キャップに模様を描いたものや、キャップの形状に工夫を凝らす等して、消費者の興味を惹き付けられるような審美性を高めた製品も製造・販売されている。
【０００３】
しかしながら、これまでのマグネット製品は、やはり事務用品の延長線上と認められるものが多く、平面的で色彩も単調なものが多かった。また、鮮明かつ精細なイラストや写真が立体的に表現されているものや、それ自体にメッセージ性が付与されているようなマグネット製品は未だ創作がされていなかった。
【０００４】
本願考案者は、このような実情のもと、従来のマグネット製品には無い、立体的で審美性を高めたデザインを表現でき、かつ、それ自体にメッセージ性も付与できるようなマグネット製品について鋭意検討を重ねた。その結果、本願考案者は、マグネットプレートに、ベースプレートとフェイスプレートという二つのプレートを貼り付け、これらのプレートに画像層を設けることで、従来のマグネット製品には無い、立体的で審美性を高めたデザインを表現でき、かつ、それ自体にメッセージ性も付与できるようなマグネット製品を得られるという知見を得、本考案を創作するに至った。
【考案の概要】
【考案が解決しようとする課題】
【０００５】
本考案は、通常のマグネット製品としての機能を有しつつ、立体的で、非常にデザイン性が高くて視覚的効果にも優れ、かつ、メッセージ性も備えることができるデザインマグネット製品を提供することを目的とする。
【課題を解決するための手段】
【０００６】
そのための手段として、本考案に係るデザインマグネット製品は、ベースプレートと、前記ベースプレートの裏面に貼り付けられたマグネットプレートと、前記ベースプレートの表面側に貼り付けられたフェイスプレートとから構成されるデザインマグネット製品であって、前記ベースプレートの表面には画像層が設けられており、前記フェイスプレートの一部には、開口部が設けられており、当該開口部を通して、前記ベースプレートの表面の画像層を視認できるように構成されていることを特徴としている。
【０００７】
また、本考案に係るデザインマグネット製品は、前記フェイスプレートの表面にも画像層が設けられていることも特徴としている。
【０００８】
さらに、本考案に係るデザインマグネット製品は、ベースプレートと、前記ベースプレートの裏面に貼り付けられたマグネットプレートと、前記ベースプレートの表面側に貼り付けられたフェイスプレートとから構成されるデザインマグネット製品であって、前記ベースプレートの表面には画像層が設けられており、前記フェイスプレートの全部又は一部が、透明な材料によって構成されており、表面側から前記ベースプレートを見た際に、前記ベースプレートの表面に設けられた画像層を視認できるように構成されていることも特徴としている。
【０００９】
また、本考案に係るデザインマグネット製品は、前記フェイスプレートの裏面の全部又は一部においても画像層が設けられており、表面側から前記ベースプレートを見た際に、前記ベースプレートの表面に設けられた画像層、及び、前記フェイスプレートの裏面に設けられた画像層の両方を、同時に視認できるように構成されていることも特徴としている。
【考案の効果】
【００１０】
本考案によれば、通常のマグネット製品としての機能を有しつつ、立体的で、非常にデザイン性が高くて視覚的効果にも優れ、かつ、メッセージ性も備えることができるデザインマグネット製品を提供することができる。
【図面の簡単な説明】
【００１１】
【図１】本考案の実施形態に係るデザインマグネット製品の外観図１
【考案を実施するための形態】
【００１２】
以下、本考案に係るデザインマグネット製品を実施するための形態について、図面を参照しながら説明する。図１は、本実施形態に係るデザインマグネット製品の外観を示したものである。図示されているように、デザインマグネット製品１は、基本的に、ベースプレート２と、ベースプレート２の裏面に貼り付けられたマグネットプレート３と、ベースプレート２の表面側に貼り付けられたフェイスプレート４とから構成されている。
【００１３】
ベースプレート２の表面には画像層２Ａが設けられている。画像層２Ａは、イラストや写真が印刷されたシートによって構成されており、画像の印刷面を表側として、ベースプレート２に貼り付けられている。
【００１４】
また、図示されているように、フェイスプレート４の一部には、開口部が設けられており、この開口部を通して、ベースプレート２の表面の画像層２Ａを視認できるように構成されている。さらに、この開口部の形状を加工することにって、各種のデザインを表現できるようになっている。さらに、画像層２Ａやフェイスプレート４の表面等において、キャッチコピーやデザイン化した文字情報等を記載することによって、デザインマグネット製品１にメッセージ性を付与することも可能となっている。
【００１５】
なお、以上の実施形態において、ベースプレート２及びフェイスプレート４を構成する素材は特に限定はされない。このような製品の場合、木材や、硬質プラスチック、またはこれらを組み合わせたものを使用することが一般的と認められるが、例えば他にも、紙、フィルム素材、軟質プラスチック、金属、セラミックス等を使用することも可能である。
【００１６】
本実施形態に係るデザインマグネット製品１は、以上のような構成となっているので、本考案によれば、通常のマグネット製品としての機能を有しつつ、立体的で、非常にデザイン性が高くて視覚的効果にも優れ、かつ、メッセージ性も備えることができるデザインマグネット製品を提供することができる。
【００１７】
なお、本実施形態に係るデザインマグネット製品１においては、フェイスプレート４の表面にも画像層、すなわち、イラストや写真が印刷されたシートの層を設けることとしても良い。こうすることで、さらに視覚的効果の優れたデザインマグネット製品を提供することも可能となるからである。
【００１８】
また、フェイスプレート４については、その全部又は一部を、アクリルやガラス等の透明な材料によって構成し、表面側からベースプレート２を見た際に、ベースプレート２の表面に設けられた画像層２Ａを視認できるように構成するようにしても良い。こうすることで、画像面２Ａについて、ガラス越しに風景を見るような透明感の有る視覚的効果を与えることもできるからである。
【００１９】
さらに、フェイスプレート４を透明な材料によって構成した場合には、その裏面の全部又は一部においても画像層を設け、表面側からベースプレート２を見た際に、ベースプレート２の表面に設けられた画像層２Ａ、及び、フェイスプレート４の裏面に設けられた画像層の両方を、同時に視認できるように構成するようにしても良い。こうすることで、透明感と立体感の有る視覚的効果を、デザインマグネット製品１に付与できることも期待できるからである。
【００２０】
なお、以上の実施形態における画像層の印刷には、印刷機を利用した狭義の意味での印刷だけではなく、プリンター出力等のプリント等も含まれるものとする。また、以上の実施形態において、開口部とは、閉じられたものだけではなく、図１で示したように、開かれたものも含むものとする。また、このような開口部は、一つだけではなく、複数も受けることも当然ながら可能である。
【００２１】
さらに、以上の実施形態における画像層は、画像が印刷がされたシートによるものだけではなく、ベースプレート２やフェイスプレート４の表面又は裏面に直接印刷するようにしても構わない。また、画像層２Ａ、ベースプレート２やフェイスプレート４の表面又は裏面において、エポキシ樹脂等の透明液（蛍光液やラメなどの部材を混入したもの含む）を塗布して固めたものを配することも可能である。さらに、フェイスプレート４については、これを二枚以上用意し、これらを重ねて貼り合わせても構わない。
【産業上の利用可能性】
【００２２】
本考案は、以上に説明したような構成となっているので、本考案によれば、通常のマグネット製品としての機能を有しつつ、立体的で、非常にデザイン性が高くて視覚的効果にも優れ、かつ、メッセージ性も備えることができるデザインマグネット製品を提供することができる。
【００２３】
なお、本考案は、当然ながら、以上の実施形態で説明したデザインマグネット製品に限定されるものではない。さらに、本考案の範囲には、本考案の技術的思想が具現化されたものも含まれるものとする。
【符号の説明】
【００２４】
１  ：デザインマグネット製品、
２  ：ベースプレート、
２Ａ：画像層
３  ：マグネットプレート、
４  ：フェイスプレート
【図１】
0003216057.tif 000003